(57)【要約】【課題】送信信号が割り当てられる２つのリソースブロック間の周波数軸上の距離Ｇをより大きい値に設定可能として、高い周波数ダイバーシチゲインを実現する。【解決手段】無線送信機は、送信信号を生成する送信信号生成部１１と、周波数軸上で距離Ｇ離れた２つのリソースブロックに対する送信信号の割り当てを行う割り当て部１７と、無線通信システムの総リソースブロック数をＷとし、前記割り当てに用いられる最大のリソースブロック数の前記Ｗに対する割合を１／Ｍとして、Ｗ×（１−１／（２Ｍ））＋１より小さい自然数（０を含まず）を前記Ｇとして設定する設定部１４と、前記２つのリソースブロックを含むＲＦ信号を送信する送信部１８−１９とを具備する。【選択図】  図１
2009147750.tif 000002
【特許請求の範囲】
【請求項１】
無線通信システムに用いられる無線送信機において、
送信信号を生成する送信信号生成部と、
周波数軸上で距離Ｇ離れた２つのリソースブロックに対する送信信号の割り当てを行う割り当て部と、
前記無線通信システムの総リソースブロック数をＷとし、前記割り当てに用いられる最大のリソースブロック数の前記Ｗに対する割合を１／Ｍとして、Ｗ×（１−１／（２Ｍ））＋１より小さい自然数（０を含まず）を前記Ｇとして設定する設定部と、
前記２つのリソースブロックを含むＲＦ信号を送信する送信部と、を具備することを特徴とする無線送信機。
【請求項２】
無線通信システムに用いられる無線送信機において、
送信信号を生成する送信信号生成部と、
周波数軸上で距離Ｇ離れかつ時間軸上の位置が異なる２つのリソースブロックに対する送信信号の割り当てを行う割り当て部と、
前記無線通信システムの総リソースブロック数をＷとし、前記割り当てに用いられる最大のリソースブロック数の前記Ｗに対する割合を１／Ｍとして、Ｗ×（１−１／（２Ｍ））＋１より小さい自然数（０を含まず）を前記Ｇとして設定する設定部と、
前記２つのリソースブロックを含むＲＦ信号を送信する送信部と、を具備することを特徴とする無線送信機。
【請求項３】
前記設定部は、前記ＧをＷ×（１−１／（２Ｍ））＋１未満の最大の自然数（０を含まず）に設定することを特徴とする請求項１または２のいずれか１項に記載の無線送信機。
【請求項４】
前記設定部は、前記Ｇを閾値以下でかつＷ×（１−１／（２Ｍ））＋１未満の最大の自然数（０を含まず）に設定することを特徴とする請求項１または２のいずれか１項に記載の無線送信機。
【請求項５】
前記設定部は、Ｗ＝Ｗ１とＭ＝Ｍ１によって定まるＧ＝Ｇ１と、Ｗ＝Ｗ２とＭ＝Ｍ２によって定まるＧ＝Ｇ２において、Ｗ１＝Ｗ２でかつＭ１＜Ｍ２ならば、Ｇ１≦Ｇ２となるように前記Ｇを設定することを特徴とする請求項１または２のいずれか１項に記載の無線送信機。
【請求項６】
前記設定部は、Ｗ＝Ｗ１とＭ＝Ｍ１によって定まるＧ＝Ｇ１と、Ｗ＝Ｗ２とＭ＝Ｍ２によって定まるＧ＝Ｇ２において、Ｗ１＝Ｗ２でかつＭ１＜Ｍ２ならば、Ｇ１＜Ｇ２となるように前記Ｇを設定することを特徴とする請求項１または２のいずれか１項に記載の無線送信機。
【請求項７】
前記設定部は、前記Ｇとして２のべき乗の値を設定することを特徴とする請求項１または２のいずれか１項に記載の無線送信機。
【請求項８】
前記割り当て部で前記割り当てが用いられたことを示す第１情報と、前記２つのリソースブロックの一方を指し示す第２情報とを含む制御信号を生成する制御信号生成部をさらに具備し、前記送信部はさらに前記制御信号を送信することを特徴とする請求項１または２のいずれか１項に記載の無線送信機。
【請求項９】
前記割り当て部で前記割り当てが用いられたか否かを示す第１情報と、前記２つのリソースブロックのうち前記送信信号が時間的に先に割り当てられる方のリソースブロックを指し示す第２情報とを含む制御信号を生成する制御信号生成部をさらに具備し、前記送信部はさらに前記制御信号を送信することを特徴とする請求項２に記載の無線送信機。
【請求項１０】
前記割り当て部で前記割り当てが用いられたか否かを示す第１情報と、前記２つのリソースブロックの一方を指し示す第２情報と、前記第２情報が指し示すリリソースブロックに対して前記送信信号を時間的に先に割り当てるか後に割り当てるかを示す第３情報とを含む制御信号を生成する制御信号生成部をさらに具備し、前記送信部はさらに前記制御信号を送信することを特徴とする請求項２に記載の無線送信機。
【請求項１１】
前記割り当て部で前記割り当てが用いられたか否かを示す第１情報と、前記２つのリソースブロックのうち前記送信信号が時間的に先に割り当てられるリソースブロックを指し示す第１インデックスを含む第２情報と、前記第１インデックスに前記距離を加えた第２インデックスが指し示すリソースブロック及び前記第１インデックスから前記距離を減じた第３インデックスが指し示すリソースブロックのいずれに前記送信信号を割り当てるかを示す第４情報とを含む制御信号を生成する制御信号生成部をさらに具備し、前記送信部はさらに前記制御信号を送信することを特徴とする請求項２に記載の無線送信機。
【請求項１２】
請求項１または２のいずれか１項に記載の無線送信機から送信されるＲＦ信号を受信する、前記無線通信システムに用いられる無線受信機であって、
前記ＲＦ信号を受信して受信信号を得る受信部と、
前記受信信号から前記２つのリソースブロックを選択する選択部と、
前記２つのリソースブロックを復調して送信信号を再生する復調部と、を具備することを特徴とする無線受信機。
【請求項１３】
請求項８または９のいずれか１項に記載の無線送信機から送信されるＲＦ信号を受信する、前記無線通信システムに用いられる無線受信機であって、
前記ＲＦ信号を受信して受信信号を得る受信部と、
前記第１情報が通知されると前記第２情報および前記Ｇによって前記受信信号から前記２つのリソースブロックを選択する選択部と、
前記２つのリソースブロック復調する復調部と、を具備することを特徴とする無線受信機。
【請求項１４】
請求項１０に記載の無線送信機から送信されるＲＦ信号を受信する、前記無線通信システムに用いられる無線受信機であって、
前記ＲＦ信号を受信して受信信号を得る受信部と、
前記第１情報が通知されると前記第２情報、前記第３情報および前記Ｇによって前記受信信号から前記２つのリソースブロックを選択する選択部と、
前記２つのリソースブロック復調する復調部と、を具備することを特徴とする無線受信機。
【請求項１５】
請求項１１に記載の無線送信機から送信されるＲＦ信号を受信する、前記無線通信システムに用いられる無線受信機であって、
前記ＲＦ信号を受信して受信信号を得る受信部と、
前記第１情報が通知されると前記第２情報、前記第４情報および前記Ｇによって前記受信信号から前記２つのリソースブロックを選択する選択部と、
前記２つのリソースブロック復調する復調部と、を具備することを特徴とする無線受信機。
【発明の詳細な説明】
【技術分野】
【０００１】
この発明は、無線送信機および無線受信機に関し、特にリソースブロックに対する送信信号の割り当てに関する。
【背景技術】
【０００２】
直交周波数分割多元接続(Orthogonal Frequency Division Multiple Access：ＯＦＤＭＡ)を用いた無線通信システムでは、ＯＦＤＭＡによって生成されるサブキャリアを複数のユーザに割り当てることによってユーザの多重を行う。３ＧＰＰ−ＬＴＥでは、１２サブキャリアを組としたリソースブロックと呼ばれる単位でユーザを割り当てる方法が検討されている。
【０００３】
さらに、１ユーザにつき周波数軸上で離れた２つのリソースブロック（リソースブロック対）を割り当てる方式が検討されている。一般に、周波数方向に離れるほどチャネル間の相関が低くなるため、このようなリソースブロック対を用いて無線通信を行うことにより、周波数ダイバーシチゲインを得ることができ、その結果として受信性能が向上する。
【０００４】
このような割り当て方法を用いる場合、一般には送信信号が割り当てられた２つのリソースブロック間の時間軸上の距離Ｇを表す制御信号を受信側に通知する必要がある。このような制御信号を通知すると、制御に関わるオーバヘッドが増加する。そこで３ＧＰＰ−ＬＴＥでは、距離Ｇにシステムにおいて予め決定した値を用いる方法が検討されている。これにより制御信号を別途送る必要がなくなるため、制御に関わるオーバヘッドを削減できる。
【０００５】
一方、非特許文献１に示されているように、３ＧＰＰ(Third Generation Partnership Project)−ＬＴＥ(Long Term Evolution)においてシステム帯域幅が複数定義されていることを考慮して、システム帯域幅に対応付けて距離Ｇを決定する方法が検討されている。すなわち、通信を開始した無線通信システムのシステム帯域幅が送信側から受信側に通知されることにより分かった段階で、これに対応付けて距離Ｇが定まるようにする。このようにすることで、受信側では制御信号を必要とすることなく、事前に通知されたシステム帯域幅からＧを知ることができるとともに、システム帯域幅毎に適したＧを設定することができる。
【０００６】
一般には、Ｇが大きいほど周波数ダイバーシチゲインは高まることが知られている。しかしながら、システム帯域幅が小さい場合に大きいＧを設定することは難しい。そこで例えば、システム帯域幅が小さい場合には小さいＧを用い、システム帯域幅が大きい場合には周波数ダイバーシチゲインを高めるために大きいＧを用いる、といったことが可能となる。
【非特許文献１】http://www.3gpp.org/ftp/tsg_ran/WG1_RL1/TSGR1_51/Docs/R1-074602.zip, "Downlink VRB email reflector summary", Motorola P1の "For example, the default spacing between PRBs used for a DVRB could be a fixed function of system bandwidth." の下り。
【発明の開示】
【発明が解決しようとする課題】
【０００７】
非特許文献１に示されるような従来技術では、Ｇをシステム帯域幅と対応付けることによってシステム帯域幅に合わせてＧを設定すると、Ｇをシステム帯域幅の半分よりも大きい値に定めることが難しい。Ｇをシステム帯域幅以上の値とした場合、多重できるユーザ数が制限されてしまうためである。Ｇの値を大きく設定できない結果として、従来技術では十分な周波数ダイバーシチゲインを得られない場合が生じるという問題があった。
【０００８】
本発明の目的は、送信信号が割り当てられる２つのリソースブロック間の周波数軸上の距離Ｇを従来技術よりも大きい値に設定可能として、より高い周波数ダイバーシチゲインを得ることが可能な無線送信機および無線受信機を提供することにある。
【課題を解決するための手段】
【０００９】
本発明の第１の観点によると、送信信号を生成する送信信号生成部と、周波数軸上で距離Ｇ離れた２つのリソースブロックに対する送信信号の割り当てを行う割り当て部と、無線通信システムの総リソースブロック数をＷとし、前記割り当てに用いられる最大のリソースブロック数の前記Ｗに対する割合を１／Ｍとして、Ｗ×（１−１／（２Ｍ））＋１より小さい自然数（０を含まず）を前記Ｇとして設定する設定部と、前記２つのリソースブロックを含むＲＦ信号を送信する送信部と、を具備することを特徴とする無線送信機を提供する。
【００１０】
本発明の第２の観点によると、送信信号を生成する送信信号生成部と、周波数軸上で距離Ｇ離れかつ時間軸上の位置が異なる２つのリソースブロックに対する送信信号の割り当てを行う割り当て部と、無線通信システムの総リソースブロック数をＷとし、前記割り当てに用いられる最大のリソースブロック数の前記Ｗに対する割合を１／Ｍとして、Ｗ×（１−１／（２Ｍ））＋１より小さい自然数（０を含まず）を前記Ｇとして設定する設定部と、前記２つのリソースブロックを含むＲＦ信号を送信する送信部と、を具備することを特徴とする無線送信機を提供する。
【００１１】
本発明の第１または第２の観点による無線送信機は、前記割り当て部で前記割り当てが用いられたことを示す第１情報と、前記２つのリソースブロックの一方を指し示す第２情報とを含む制御信号を生成する制御信号生成部をさらに具備し、前記送信部はさらに前記制御信号を送信するようにしてもよい。
【００１２】
本発明の第２の観点による無線送信機は、前記割り当て部で前記割り当てが用いられたか否かを示す第１情報と、前記２つのリソースブロックのうち前記送信信号が時間的に先に割り当てられる方のリソースブロックを指し示す第２情報とを含む制御信号を生成する制御信号生成部をさらに具備し、前記送信部はさらに前記制御信号を送信してもよい。
【００１３】
本発明の第２の観点による無線送信機は、前記割り当て部で前記割り当てが用いられたか否かを示す第１情報と、前記２つのリソースブロックの一方を指し示す第２情報と、前記第２情報が指し示すリリソースブロックに対して前記送信信号を時間的に先に割り当てるか後に割り当てるかを示す第３情報とを含む制御信号を生成する制御信号生成部をさらに具備し、前記送信部はさらに前記制御信号を送信してもよい。
【００１４】
本発明の第２の観点による無線送信機は、前記割り当て部で前記割り当てが用いられたか否かを示す第１情報と、前記２つのリソースブロックのうち前記送信信号が時間的に先に割り当てられるリソースブロックを指し示す第１インデックスを含む第２情報と、前記第１インデックスに前記距離を加えた第２インデックスが指し示すリソースブロック及び前記第１インデックスから前記距離を減じた第３インデックスが指し示すリソースブロックのいずれに前記送信信号を割り当てるかを示す第４情報とを含む制御信号を生成する制御信号生成部をさらに具備し、前記送信部はさらに前記制御信号を送信してもよい。
【００１５】
本発明の第３の観点によると、第１または第２の観点による無線送信機から送信されるＲＦ信号を受信して受信信号を得る受信部と、前記受信信号から前記２つのリソースブロックを選択する選択部と、前記２つのリソースブロックを復調して送信信号を再生する復調部と、を具備することを特徴とする無線受信機を提供する。
【００１６】
本発明の第４の観点によると、前記ＲＦ信号を受信して受信信号を得る受信部と、前記第１情報が通知されると前記第２情報および前記Ｇによって前記受信信号から前記２つのリソースブロックを選択する選択部と、前記２つのリソースブロック復調する復調部と、を具備することを特徴とする無線受信機を提供する。
【００１７】
本発明の第５の観点によると、前記ＲＦ信号を受信して受信信号を得る受信部と、
前記第１情報が通知されると前記第２情報、前記第３情報および前記Ｇによって前記受信信号から前記２つのリソースブロックを選択する選択部と、前記２つのリソースブロック復調する復調部と、を具備することを特徴とする無線受信機を提供する。
【００１８】
本発明の第６の観点によると、前記ＲＦ信号を受信して受信信号を得る受信部と、前記第１情報が通知されると前記第２情報、前記第４情報および前記Ｇによって前記受信信号から前記２つのリソースブロックを選択する選択部と、前記２つのリソースブロック復調する復調部と、を具備することを特徴とする無線受信機を提供する。
【発明の効果】
【００１９】
本発明によれば、送信信号が割り当てられる２つのリソースブロック間の周波数軸上の距離Ｇを従来技術よりも大きい値に設定することが可能であるため、より高い周波数ダイバーシチゲインを得ることができる。
【発明を実施するための最良の形態】
【００２０】
以下、図面を参照しながら本発明の実施形態について詳細に説明する。  
（第１の実施形態）  
＜無線送信機＞  
図１に示されるように、本発明の第１の実施形態に係る無線送信機は、送信信号生成部１１、システム帯域幅設定部１２、最大通信帯域幅割合設定部１３、距離設定部１４、割り当て制御部１５、信号割り当て部１７、ＲＦ送信部１８およびアンテナ１９を有する。
【００２１】
本実施形態は、無線基地局と無線基地局が収容する多数の無線端末からなるＯＦＤＭＡ方式の無線通信システムを対象としており、図１の送信機は当該無線通信システムにおける無線基地局に設けられる。すなわち、送信機は無線基地局から無線端末への下りリンクの送信に用いられる。
【００２２】
送信信号生成部１１は、送信信号（送信すべきデータ信号）を生成する。送信信号は、信号割り当て部１７に入力される。信号割り当て部１７では、割り当て制御部１５からの制御の下で、予め定められた割り当て方法に従って周波数軸上で距離Ｇ離れた２つのリソースブロック（リソースブロック対という）に送信信号が割り当てられる。リソースブロックとは、それぞれ複数のサブキャリア（例えば、３ＧＰＰ−ＬＴＥでは１２サブキャリア）の組からなる送信単位である。
【００２３】
距離設定部１４では、システム帯域幅設定部１２および最大帯域幅割合設定部１３からの情報に基づいて、割り当て制御部１５および信号割り当て部１７で必要な距離Ｇの値が設定される。送信信号が割り当てられた２つのリソースブロックは、ＲＦ送信部１８に入力され、ＲＦ送信部１８により例えばデジタル−アナログ変換、周波数変換（アップコンバート）および電力増幅などの処理が行われることにより、送信ＲＦ信号が生成される。生成された送信ＲＦ信号は、アンテナ１９によって送信される。
【００２４】
システム帯域幅設定部１２および最大帯域幅割合設定部１３からは、システム帯域幅情報および最大通信帯域幅割合情報が出力され、距離設定部１４に入力されるとともに送信信号生成部１１にも入力される。システム帯域幅情報および最大通信帯域幅割合情報は、送信信号生成部１１から信号割り当て部１７、ＲＦ送信部１８およびアンテナ１９を介して無線受信機に適時通知される。
【００２５】
次に、距離設定部１４における距離Ｇの設定方法の概略について説明する。  
本実施形態では、無線通信システムの総リソースブロック数をＷとし、当該割り当て方法で用いられる最大のリソースブロック数の総リソースブロック数Ｗに対する割合を１／Ｍとしたとき、距離設定部１３はＷ×（１−１／（２Ｍ））＋１より小さい自然数（０を含まず）を距離Ｇとして設定する。
【００２６】
ここで、総リソースブロック数Ｗは無線通信システムにおいてシステム帯域幅と呼ばれる値であり、システム帯域幅設定部１２によって距離設定部１４に与えられる。一方、１／Ｍは総リソースブロック数（システム帯域幅）Ｗのうち通信に使用する最大のリソースブロック数（ここでは最大通信帯域幅という）の割合を示す情報であるため、最大通信帯域幅割合情報と呼び、これは最大通信帯域幅設定部１３によって距離設定部１４に与えられる。
【００２７】
このようにシステム帯域幅Ｗに加え最大通信帯域幅割合１／Ｍも考慮して距離Ｇを設定することにより、非特許文献１に開示された従来技術のようにシステム帯域幅のみから距離Ｇを定める方式と比べて、Ｇをより大きい値に設定することが可能となる。また、その結果として従来技術よりも高い周波数ダイバーシチゲインを得ることが可能となり、受信性能を向上できるという効果が得られる。
【００２８】
＜無線受信機＞  
一方、図１の無線送信機に対応する本発明の第１の実施形態に係る無線受信機は、図２に示されるようにアンテナ２１、ＲＦ受信部２２、信号選択部２３、距離設定部２４、受信信号復調部２５、システム帯域幅情報取得部２６および最大通信帯域幅割合情報取得部２７を有する。
【００２９】
前述のように本実施形態は、無線基地局と無線基地局が収容する多数の無線端末からなるＯＦＤＭＡ方式の無線通信システムを対象としており、図２の受信機は当該無線通信システムにおける無線端末に設けられ、下りリンクの受信に用いられる。
【００３０】
図１の送信機から送信されるＲＦ信号（ＯＦＤＭ信号）はアンテナ２１によって受信され、受信ＲＦ信号が得られる。アンテナ２１からの受信ＲＦ信号は、ＲＦ受信部２２によって例えば電圧増幅、周波数変換（ダウンコンバート）およびアナログ−デジタル変換などの処理が行われることにより、例えばベースバンドの受信信号が生成される。
【００３１】
ＲＦ受信部２２からの受信信号は信号選択部２３に入力され、距離設定部２４によって設定される距離Ｇに基づいて、送信信号が割り当てられている２つのリソースブロックが選択される。選択された２つのリソースブロックは、受信信号復調部２５によって復調されることにより、２つのリソースブロックに割り当てられている送信信号（データ信号）が再生される。
【００３２】
システム帯域幅情報取得部２６では、図１の送信機から通知される前述のシステム帯域幅Ｗの情報が受信信号復調部２５の出力から取得される。最大通信帯域幅割合情報取得部２７では、図１の送信機から通知される前述の最大通信帯域幅割合１／Ｍの情報が受信信号復調部２５の出力から取得される。距離設定部２４では、これらのシステム帯域幅情報および最大通信帯域幅情報に基づいて、Ｗ×（１−１／（２Ｍ））＋１より小さい自然数（０を含まず）が距離Ｇとして設定される。設定された距離Ｇの情報は、信号選択部２３に与えられ、距離Ｇの情報を受けて周波数軸上で距離Ｇ離れた２つのリソースブロックが選択される。
【００３３】
（ＷとＭからＧを導出する方法の概要）  
無線通信システムのシステム帯域幅（総リソースブロック数Ｗ）と、周波数軸で距離Ｇ離れた２つのリソースブロックに送信信号を割り当てる方法（当該割り当て方法という）で用いられる最大のリソースブロック数のシステム帯域幅Ｗに対する割合１／Ｍとから、距離Ｇを定める方法について図３〜図１０を用いて詳細に説明する。システム帯域幅Ｗは、無線通信システムにおいて使用可能なリソースブロック数を表している。この全リソースブロックのうち、当該割り当て方法によって割り当てを行うことが可能な割合が１／Ｍで表される。
【００３４】
図３〜図１０は、リソースブロックへの送信信号の割り当ての様子を示しており、横軸の周波数軸に沿って升目に示される１５個のリソースブロックが並んでいる。リソースブロックを表す升目には、リソースブロックの周波数軸上での位置を示す番号が付されており、番号ｎのリソースブロックを第ｎリソースブロックと呼ぶ。
【００３５】
各リソースブロックは、複数個（例えば１２個）のサブキャリアを含んでいる。升目に線が接続されているリソースブロックは送信信号が割り当てられているブロックであり、３桁の参照番号は送信信号が割り当てられる２つのリソースブロックの組（リソースブロック対）を表している。例えば、図３で参照符号“１０１”は第１リソースブロックと第９リソースブロックとの対を表している。
【００３６】
図３〜図６はＷ＝１５の場合であり、図３はＭ＝１，Ｇ＝８、図４はＭ＝２，Ｇ＝１２、図５はＭ＝３，Ｇ＝１３、図６はＭ＝４，Ｇ＝１４である。図７〜図１０はＷ＝２５の場合であり、図７はＭ＝１，Ｇ＝１３、図８はＭ＝２，Ｇ＝１９、図９はＭ＝３，Ｇ＝２１、図１０はＭ＝４，Ｇ＝２２である。
【００３７】
ＷおよびＭの情報は、図１および図２に示したように送信機から受信機に事前に通知される。ＷおよびＭの情報の通知は、例えば通信を開始したときに１度だけ行ってもよいし、ある周期で定期的に行ってもよい。定期的に通知を行う場合、後述するフラグおよびインデックスを通知する周期よりも長いことが望ましい。このようにすることで、制御に関わるオーバヘッドを削減することが可能である。
【００３８】
受信機では、このように送信機から通知されたＷおよびＭを用いることによって、当該割り当て方法に用いることができるリソースブロック数を算出することが可能となる。ただし、ＷおよびＭは自然数（０を含まず）の値をとるが、ＷとＭの値によってはＷ／Ｍは整数とならない場合がある。また、当該割り当て方法を用いるためには２の倍数個のリソースブロックが必要となる。
【００３９】
これらを考慮すると、当該割り当て方法に用いることができるリソースブロック数は、次式で表すことができる。  
Ｆｌｏｏｒ（Ｗ／（２Ｍ））×２      （１）  
ただしＦｌｏｏｒ（Ｘ）は、Ｘ以下の最大の整数を表す。ＷおよびＭが自然数（０を含まず）の値であっても、式（１）の値は０をとる可能性がある。すなわち式（１）の値は０以上の整数となる。式（１）の値が０であるとは、当該割り当て方法に用いることができるリソースブロックがないことを表している。
【００４０】
当該割り当て方法では、送信信号をリソースブロック対すなわち２つのリソースブロックに割り当てる。従って式（１）によれば、Ｆｌｏｏｒ（Ｗ／（２Ｍ））個のリソースブロックとＦｌｏｏｒ（Ｗ／（２Ｍ））個のリソースブロックをそれぞれ対にして、当該割り当て方法に用いることができる。リソースブロック対を周波数軸で最大限離して配置するためには、各Ｆｌｏｏｒ（Ｗ／（２Ｍ））個のリソースブロックを周波数軸の両端に配置すればよい。
【００４１】
例えば、Ｗ＝１５でＭ＝１の場合、Ｆｌｏｏｒ（１５／（２×１））＝５となるので、図３に示されるようにリソースブロック１〜７とリソースブロック９〜１５を用いて、７つのリソースブロック対１０１〜１０７を構成すればよい。また、例えばＷ＝１５でＭ＝２の場合、Ｆｌｏｏｒ（１５／（２×２））＝３となるので、図４に示されるようにリソースブロック１〜３とリソースブロック１３〜１５を用いて、３つのリソースブロック対２０１〜２０３を構成すればよい。
【００４２】
このように２つのリソースブロックを周波数軸で最大限離して配置した場合のＧの値は、次式（２）のように算出される。  
（Ｗ−Ｆｌｏｏｒ（Ｗ／（２Ｍ））×２）＋Ｆｌｏｏｒ（Ｗ／（２Ｍ））  
＝Ｗ−Ｆｌｏｏｒ（Ｗ／（２Ｍ））  
＝Ｃｅｉｌ（Ｗ−Ｗ／（２Ｍ））  
＝Ｃｅｉｌ（Ｗ（１−１／（２Ｍ）））            （２）  
ただしＣｅｉｌ（Ｘ）はＸ以上の最小の整数を表す。
【００４３】
このようにして算出したＣｅｉｌ（Ｗ（１−１／（２Ｍ）））以下の値、すなわちＷ（１−１／（２Ｍ））＋１未満の値にＧを設定すれば、当該割り当て方法にＦｌｏｏｒ（Ｗ／（２Ｍ））×２個のリソースブロックを使用することが可能であることが分かる。
【００４４】
従来技術ではＷのみを考慮して距離Ｇを設定していたために、Ｇの値をＣｅｉｌ（Ｗ／２）以下とする必要があった。これに対して第１の実施形態に基づく送信方法を用いた場合には、Ｇの値をＣｅｉｌ（Ｗ（１−１／（２Ｍ）））以下にすればよく、Ｍが１よりも大きい場合にＧを従来技術よりも大きい値に設定することが可能となる。
【００４５】
例えばＷ＝１５の場合、従来技術では図３のような割り当てになることを想定して、Ｇを最大でも８にしか設定することができなかった。これに対して第１実施形態によれば、Ｍ＝２の場合には図４に示されるようにＧ＝１２とすることができる。同様にして、Ｍ＝３の場合には図５に示されるようにＧ＝１３に、またＭ＝４の場合には図６に示されるようにＧ＝１４とすることができる。
【００４６】
一方、例えばＷ＝２５の場合でも同様に、従来技術では図７のような割り当てになることを想定してＧを最大でも１３にしか設定することができなかったのに対して、第１の実施形態によれば、Ｍ＝２の場合には図８に示されるようにＧ＝１９に、Ｍ＝３の場合には図９に示されるようにＧ＝２１に、Ｍ＝４の場合には図１０に示されるようにＧ＝２２とすることができる。
【００４７】
このようなＷおよびＭとＧとの対応付けは、図１１に示されるテーブルによって行うことができる。図１１のテーブルの第１行〜第８行は、それぞれ図３〜図１０に対応している。図１１のテーブルは、送信機と受信機で予め共有される。具体的には、図１中の距離設定部１４および図２中の距離設定部２４に図１１のようなテーブルを保持したメモリが用意される。このようにすることにより、ＷとＭから当該割り当て方法に用いるＧの値を知ることができる。すなわち、制御オーバヘッドを増加させることなく、受信機側でＧを知ることが可能となる。
【００４８】
このように第１実施形態によれば、従来技術よりも大きいＧを設定することが可能となる。その結果として、従来技術よりも高い周波数ダイバーシチゲインを得ることが可能となり、受信性能を向上できるという効果が得られる。
【００４９】
次に、ＷとＭに対してＧを対応付ける方法についてさらに詳細に説明する。対応付けの方法としては、下記のように（ａ）Ｇに最大値を設定する方法、（ｂ）Ｇに最大値からＸだけ小さい値を設定する方法、および（ｃ）Ｇを閾値未満に制限する方法がある。
【００５０】
（ａ）Ｇに最大値を設定する方法；  
式（２）を用いて説明したように、距離Ｇの値をＣｅｉｌ（Ｗ（１−１／（２Ｍ）））以下の値、すなわちＷ（１−１／（２Ｍ））＋１未満の値に設定すれば、ＷとＭによって規定される、当該割り当て方法に必要なリソースブロック数を確保することができる。従って、周波数ダイバーシチゲインを高めることを優先する場合には、ＧをＷ（１−１／（２Ｍ））＋１未満の最大の自然数（０を含まず）とすることが望ましい。例えば、図１１のテーブルに示されるようにＷとＭに対してＧを対応付ければ、各ＷとＭの組み合わせに対して設定可能な最大の値をＧに用いることができる。
【００５１】
（ｂ）Ｇに最大値からＸだけ小さい値を設定する方法；  
図１１のテーブルに従ってＧを設定した場合には、スケジューリングの自由度が低下する。スケジューリングの自由度が低下するとは、具体的には当該割り当て方法を用いるリソースブロックの数が多くなったときに、割り当て可能なパターン数が限られてくるということを意味している。
【００５２】
Ｗ＝３でＭ＝３の場合、Ｇは最大で１３に設定することが可能である。これに従ってＧを定めると、当該割り当て方法に使うリソースブロック数が４の場合には、図５に示される割り当て方法しかパターンが存在しなくなってしまう。すなわち、例えば当該割り当て方法を使わない割り当て方法では図５の第１５リソースブロックを使うことができなくなってしまう。
【００５３】
スケジューリングの自由度を向上させるためには、Ｇの値をＷ（１−１／（２Ｍ））＋１よりもいくらか小さい値に設定してもよい。例えば、Ｗ＝３でＭ＝３の場合、Ｇは最大で１３まで設定することが可能であるが、Ｇをこれより小さい値、例えばＧ＝１１にするとスケジューリングの自由度が向上し、図１２や図１３に示されるようないくつかのパターンをとることが可能となる。
【００５４】
このように距離Ｇの値を比較的小さく設定した場合においても、本実施形態に従えば従来技術よりもＧの値を大きく設定することが依然として可能である。具体的には、従来技術ではＷ＝３の場合には図３に示されるようにＧを最大でも８にまでしか設定することができないのに対して、本実施形態ではＧを１１に設定することができる。
【００５５】
さらには、従来技術においてもスケジューリングの自由度をもたせることを考えた場合には、Ｇを８よりも小さい値に設定する必要が生じる。従来技術と本実施形態の両方に同じスケジューリングの自由度を持たせることを考えた場合、本実施形態では従来技術よりも大きいＧを設定することが可能である。例えば、スケジューリングの自由度を高めるためにＧを２だけ小さい値に設定することを考えた場合、従来技術ではＷ＝１５の場合にＧ＝６、Ｗ＝２５の場合にはＧ＝１１となるが、本実施形態ではＷ＝１５の場合でも図１２に示すようにＧ＝１１となる。このようにして、本実施形態によると従来技術よりも大きいＧを設定することが可能となる。 
距離ＧをＣｅｉｌ（Ｗ（１−１／（２Ｍ）））の値からＸだけ小さい値に設定するとした場合に、Ｘの値はＷ毎に変えてもよい。一般にＧの値が大きくなるほど周波数ダイバーシチゲインは高まるが、Ｇが大きいほどＧの増加に対する周波数ダイバーシチゲインの増加度合いは小さくなる。Ｗが大きいほど、またＭが大きいほどＣｅｉｌ（Ｗ（１−１／（２Ｍ）））の値が大きくなることから、例えばＷが小さい場合のＸを小さく設定し、Ｗが大きい場合のＸを大きく設定してもよいし、また例えばＭが小さい場合のＸを小さく設定し、Ｍが大きい場合のＸを大きく設定してもよい。このようにすることで、周波数ダイバーシチゲインをあまり低下させることなく、効果的にスケジューリングの自由度を向上させることができる。
【００５６】
（ｃ）Ｇを閾値未満に制限する方法；  
前述のように、一般に距離Ｇの値が大きくなるほど周波数ダイバーシチゲインは高まるが、Ｇが大きいほどＧの増加に対する周波数ダイバーシチゲインの増加度合いは小さくなる。この効果により、ある値以上にＧを大きくしても、ほとんど周波数ダイバーシチゲインが増加しないということが起こりうる。一方、Ｇの値を大きくすることはスケジューリングの自由度を低下させることにつながる。
【００５７】
そこで、Ｇがある閾値ＴＨ以上の値にならないように設定することにより、周波数ダイバーシチゲインをほとんど低下させることなく、スケジューリングの自由度を効果的に高めることが可能となる。例えば、前述のように周波数ダイバーシチゲインを最大限に得るためにはＧ＝Ｃｅｉｌ（Ｗ（１−１／（２Ｍ）））とすることが望ましいが、閾値ＴＨを用いて  
Ｇ＝Ｍｉｎ（ＴＨ，Ｃｅｉｌ（Ｗ（１−１／（２Ｍ））））    （３）  
のように、Ｇを設定すればよい。
【００５８】
具体的には、図１１の例でＴＨを１５と設定した場合のＧの値は図１４のようになる。図１４では、Ｗ＝２５でＭ＝２，３，４のときのＧの値が閾値ＴＨによって１５に制限されていることが分かる。また、例えば図１５のようにＣｅｉｌ（Ｗ（１−１／（２Ｍ）））よりもいくらか小さい値をＧに設定することを考えた場合においても、これに加えてさらに閾値ＴＨによってＧの上限を設定することも可能である。
【００５９】
（２つの距離Ｇ１とＧ２の大小関係について）  
図１１、図１４および図１５を用いて説明してきたように、本実施形態においてはＷとＭに対応付けてＧを定義することにより、従来技術よりも大きいＧを設定することを可能とする。さらに詳細には、式（２）に表れているように、Ｍが大きくなるほどＧを大きく設定することが可能となる。従って、周波数ダイバーシチゲインを高めるためには、Ｍが大きくなるにつれてＧも大きくなることが望ましい。
【００６０】
より具体的には、同じあるＷ＝Ｗ１とあるＭ＝Ｍ１に対してＧ＝Ｇ１が対応付けられており、またあるＷ＝Ｗ２とあるＭ＝Ｍ２に対してＧ＝Ｇ２が対応付けられている場合に、Ｗ１＝Ｗ２でかつＭ１＜Ｍ２であれば、Ｇ１＜Ｇ２となるように設定されることが望ましい。
【００６１】
ただし、前述のように閾値ＴＨによりＧの上限を設けた場合には、Ｇはある値よりも大きい値をとることができないため、Ｍが異なっていたとしてもＧを異なる値に設定することが難しい場合がある。このような場合には、Ｇ１≦Ｇ２を満たしていれば十分である。また、Ｗが非常に小さい場合にも、同様にＧを異なる値にすることが難しい場合がある。例えば、Ｗ＝６でＭ＝２のときと、Ｗ＝６でＭ＝３のときのそれぞれについて式（２）に基づいてＧの最大値を計算すると、  
Ｃｅｉｌ（６（１−１／（２×２）））＝５  
Ｃｅｉｌ（６（１−１／（２×３）））＝５  
となり、それぞれ同じ値になる。このような場合にも同様にＧ１≦Ｇ２を満たしていれば十分である。
【００６２】
（Ｇを２のべき乗の値に設定）  
送信機および受信機をハードウェアに実装することを考慮した場合、図１６に示されるように、距離Ｇを式（２）で表される上限を超えない最大の２のべき乗の値に設定してもよい。図１６の例では、Ｇを２3＝８と２4＝１６に設定している。このようにＧを２のべき乗の値とすることにより、２進数を用いるハードウェアでの実装を簡易にすることができる。
【００６３】
（第２の実施形態）  
＜無線送信機＞  
図１７は、本発明の第２の実施形態に係る無線送信機を示し、図１の送信機に制御信号生成部１６が追加されている。制御信号生成部１６は、周波数軸でＧ離れた２つのリソースブロックに送信信号を割り当てる割り当て方法が用いられたことを示すフラグ（第１情報）と、当該割り当て方法で割り当てた２つのリソースブロックの一方を指し示すインデックス（第２情報）を受信機に通知するために、これらフラグおよびインデックスを含む制御信号を生成する。
【００６４】
さらに、制御信号生成部１６はフラグおよびインデックスに加えて、後述するフェーズ（第３情報）またはサイン（第４情報）を通知するために、フェーズまたはサインをさらに含む制御信号を生成してもよい。
【００６５】
制御信号生成部１６によって生成された制御信号は、割り当て制御部１５からの制御下で信号割り当て部１７により適時いずれかのリソースブロックまたは複数のリソースブロックに渡って割り当てられ、ＲＦ送信部１８およびアンテナ１９を経て送信され、受信機に通知される。
【００６６】
＜無線受信機＞  
一方、図１８は図１７の無線送信機に対応する無線受信機を示しており、図２に示した受信機に制御信号復調部２８が追加されている。信号選択部２３では、アンテナ２１からＲＦ受信部２２を経て得られる受信信号に含まれる制御信号が選択され、制御信号復調部２８によって復調されことにより、前述のフラグおよびインデックス、さらにはフェーズまたはサインが再生される。再生されたフラグおよびインデックス、さらにはフェーズまたはサインは、信号選択部２３に送られる。
【００６７】
信号選択部２３では、距離設定部２４によって設定される距離Ｇと制御信号復調部２８からのフラグおよびインデックスに基づいて、受信信号から周波数軸上で距離Ｇ離れた２つのリソースブロック（リソースブロック対）を分離して受信信号復調部２５に与える。これにより受信信号復調部２５によって２つのリソースブロックが復調され、２つのリソースブロックに割り当てられている送信信号（データ信号）が再生される。以下、本実施形態についてさらに詳しく説明する。
【００６８】
（フラグとインデックスを用いる送信／受信方法の詳細）  
前述のように、送信信号は周波数軸でＧ離れた２つのリソースブロックに割り当てられる。例えば、図４中に示されるリソースブロック対２０１では、第１リソースブロックと第１３リソースブロックが対になっており、ここに送信信号が割り当てられる。
【００６９】
このようにリソースブロック対に割り当てた送信信号を受信機で取り出すためには、送信機から受信機に対して送信信号を割り当てたリソースブロックの位置に関する情報を通知する必要がある。第２の実施形態では、このような情報として送信機において当該割り当て方法が適用されたことを示すフラグと、当該割り当て方法で割り当てたリソースブロックの一方を示すインデックスを用いる。
【００７０】
フラグは、当該割り当て方法を適用したか否かを示す情報を持つ。例えば、フラグが１ビットの情報で、０ならば当該割り当て方法を適用しなかったことを示し、１ならば当該割り当て方法を適用したことを示すようにする。
【００７１】
インデックスは、送信信号を割り当てたリソースブロック対のどちらかのリソースブロックを指し示す。例えば図４中のリソースブロック対２０１であれば、インデックスは第１リソースブロックもしくは第１３リソースブロックのどちらかを指し示す。
【００７２】
図１８の受信機では、これらのフラグおよびインデックスを用いることによって割り当てられた送信信号を抜き出すことが可能である。例えばフラグが１で、インデックスが１であった場合、第１リソースブロックおよび第１リソースブロックと対をなす他のリソースブロックとの対に送信信号が割り当てられていることが分かる。
【００７３】
ここで、前述のとおりＧの値はＷとＭにより決まり、この例ではＧ＝１２と定まっているので、第１リソースブロックと対をなすリソースブロックは第１３リソースブロックであることが分かる。また、フラグが１でインデックスが１３と与えられた場合、１３からＧ＝１２だけ増やした第２５ソースブロックは存在しないので、第１３ブロックが１３からＧ＝１２だけ減じた第１リソースブロックと対を成していることが分かる。このようにＧが無線通信システムの総リソースブロック数Ｗの半分以上の値である場合、フラグと送信信号を割り当てたリソースブロック対のどちらか一方のリソースブロックを指し示すインデックスだけで、送信信号が割り当てられたリソースブロック対を特定することが可能である。
【００７４】
一方、Ｇが無線通信システムの総リソースブロック数Ｗの半分未満である場合には、注意が必要である。例えば、Ｇ＝３でインデックスが８であった場合、第８リソースブロックと対を成すリソースブロックが第５リソースブロックであるのか、それとも第１１リソースブロックであるのかを特定できない。このような不確定性を取り除くためには、例えばリソースブロック対のインデックスのうち小さい方を通知するというように、予め定めておけばよい。このようにすれば、例えば前述の例ではインデックス８の第８リソースブロックと対をなすリソースブロックは第１１リソースブロックである、ということが確定できる。
【００７５】
（リソースブロックを時間軸上で分割する方法その１）  
これまでの説明では、周波数軸上で距離Ｇ離れたリソースブロック対は同一時間領域（すなわち、時間軸上で同一位置）に配置されている場合について述べたが、リソースブロック対は異なる時間領域（すなわち、時間軸上で異なる位置）に存在していてもよい。
【００７６】
図１９はその一例を示しており、例えばリソースブロック１１０１と、リソースブロック１１０１と時間軸上の位置が異なるリソースブロック１１０４とで１つのリソースブロック対をなしている。同様に、時間軸上の位置が異なるリソースブロック１１０２とリソースブロック１１０３とで１つのリソースブロック対をなしている。
【００７７】
また、例えば図２０に示すように図１９中の１つのリソースブロックを時間軸上で２つに分割し、リソースブロック対１２０１とリソースブロック対１２０２をなすようにしてもよい。このように１つのリソースブロックを分割した場合でも、１つのリソースブロック対が占めるリソースブロック量は変っていない。
【００７８】
ところで、図１９および図２０のように時間軸上の異なる位置あるリソースブロックを合わせてリソースブロック対をなす場合には、リソースブロックへの送信信号の割り当て方法を通知する際に注意が必要である。例えば、図１９の例でフラグを１、インデックスを１とした場合、送信信号が割り当てられるリソースブロック対としては、時間軸上のある位置における第１リソースブロック１１０１と第９リソースブロック１１０４の対と、時間軸上の異なる位置における第９リソースブロック１１０２と第１リソースブロック１１０３の対の両方の可能性が出てしまう。
【００７９】
このような場合、例えばインデックスについては、時間的に先に（最初に）送信信号を割り当てた方のリソースブロックのインデックスを通知するようにすればよい。すなわち、図１９の例でフラグを１、インデックスを１とした場合には、時間軸上の異なる位置におけるインデックスが１である第１リソースブロック１１０１および１１０３のうち、リソースブロック１１０１に最初に送信信号が割り当てられているので、リソースブロック１１０１と１１０４の対がインデックス１に対応するようにする。また、図１９の例でフラグを１、インデックスを９とした場合には、時間軸上の異なる位置におけるインデックスが９である第９リソースブロック１１０２および１１０４のうち、リソースブロック１１０２に最初に送信信号が割り当てられているので、リソースブロック１１０２と１１０３の対がインデックス９に対応するようにすればよい。
【００８０】
図２０の例でも同様に、フラグを１、インデックスを１とした場合にはリソースブロック対１２０１がインデックス１に対応し、フラグを１、インデックスを９とした場合にはリソースブロック対１２０２がインデックス９に対応するようにすればよい。
【００８１】
このように時間軸上の異なる位置あるリソースブロックを合わせてリソースブロック対とする場合、時間的に先に送信信号を割り当てた方のリソースブロックのインデックスを通知することにより、制御信号の情報量を増やすことなく、リソースブロックへの送信信号割り当て方法を無線通信機側に通知することができる。
【００８２】
（リソースブロックを時間軸上で分割する方法その２（Ｇ≦Ｗ／２の場合））  
一方、無線通信システムの総ソースブロック数ＷがＧの倍以上の値である場合には、さらに注意が必要である。例えば、図２０の例では総リソースブロック数Ｗが１５として説明をしていたが、例えば図２１に示すようにＷが２０であった場合を考える。
【００８３】
図２１の例では、フラグを１、インデックスを９とした場合には、送信信号が割り当てられるリソースブロック対は、リソースブロック１３０１と１３０４の対１３０５と、リソースブロック１３０２と１３０３の対１３０６の両方の可能性がある。このような場合、本実施形態ではリソースブロックに対する送信信号の割り当てを送信機から受信機に通知するためにさらに付加情報が必要になる。
【００８４】
例えば、インデックスについては送信信号が割り当てられたリソースブロック対のうち値が小さい方を指し示し、これに加えてインデックスが指し示すリソースブロックに対して送信信号を時間的に先に割り当てるか後に割り当てるかを示す第３情報（これをフェーズという）を送信機から受信機に通知すればよい。
【００８５】
具体的には、図２１の例でフラグが１、インデックスが１、フェーズが０の場合には、リソースブロック対１３０５が対応し、フラグが１、インデックスが１、フェーズが１の場合にはリソースブロック対１３０６が対応する。また、図２１の例でリソースブロック１３０２とリソースブロック１３０７を対としたい場合には、フラグを１、インデックスを９、フェーズを０とすればよい。
【００８６】
さらに別の方法では、あるインデックス（Ｉとする）は送信信号が割り当てられたリソースブロック対のうちの時間軸上で先の位置のリソースブロック（第Ｉリソースブロック）を指し示す。そして、第ＩリソースブロックとＩにＧを加えたインデックスＩ＋Ｇのリソースブロック（第Ｉ＋Ｇリソースブロック）に送信信号を割り当てるか、または第ＩリソースブロックとＩからＧを減じたインデックスＩ−Ｇのリソースブロック（第Ｉ−Ｇリソースブロック）に送信信号を割り当てるかを示す第４情報（これをサインという）を送信機から受信機に通知する。すなわち、サインが０の場合にはインデックスＩのリソースブロックとインデックスＩ＋Ｇのリソースブロックとが対をなし、サインが１の場合にはインデックスＩのリソースブロックとインデックスＩ−Ｇのリソースブロックとが対をなすようにする。
【００８７】
具体的には、図２１の例でフラグが１、インデックスが１、サインが０の場合にはリソースブロック対１３０５が対応し、フラグが１、インデックスが９、サインが１の場合にはリソースブロック対１３０６が対応する。また、リソースブロック１３０２とリソースブロック１３０７を対としたい場合には、フラグを１、インデックスを９、サインを０とすればよい。
【００８８】
これらの方法は、図２０に示したように１つのリソースブロックを時間軸上で複数に分割した場合においても同様である。すなわち、無線通信システムの総ソースブロック数ＷがＧの倍以上の値である場合には、送信機から受信機にフラグおよびインデックスと合わせてさらにフェーズまたはサインを通知することにより、リソースブロック対に対する送信信号の割り当て方法を示すことができる。
【００８９】
（フラグとインデックスを送信するための制御信号について）  
ここまでで説明してきたフラグ、インデックス、フェーズまたはサインの情報は、制御信号としてまとめて送信機から受信機に通知してもよい。制御信号の送信は、例えばリソースブロック対を送信する毎に１度ずつ行えばよい。
【００９０】
例えば図１９、図２０および図２７を用いて説明してきたように、時間軸上の位置が異なる２つのリソースブロックによってリソースブロック対が形成される場合には、リソースブロック対毎に１つの制御信号を送信すればよい。ここでは例えばリソースブロック２つ分の時間の長さをサブフレームと呼ぶ。例えば、図２２に示すようにサブフレーム毎に１つの制御信号１０００を挿入すればよい。
【００９１】
このようにすれば、受信機ではまず制御信号１０００を復調することによって、フラグとインデックス、また必要に応じてフェーズまたはサインの情報を得ることができ、これらによってリソースブロック対に対する送信信号割り当て方法を知ることができる。制御信号１０００は、サブフレームの先頭部分に配置されてもよい。また、リソースブロックのうち制御信号１０００が割り当てられた領域には、送信信号は割り当てられない。このような場合でも、各リソースブロック対に含まれるリソースの量はそれぞれ同一であることが望ましい。言い換えれば、制御信号１０００によって占有される領域は、各リソースブロック対に均等に分散されることが望ましい。
【００９２】
＜３ＧＰＰ−ＬＴＥへの適用例＞  
以下、第１または第２の実施形態を３ＧＰＰ−ＬＴＥに適用する場合の距離Ｇの設定方法について、具体的な数値例を挙げて説明を行う。
【００９３】
（システム帯域幅毎にＧを設定する方法）  
図２３、図２４および図２５を用いて、ＷとＭに対してＧを対応付ける別の例について説明する。図１１、図１４、図１５および図１６では、Ｗが１５と２５だけの場合について説明した。一方、３ＧＰＰ−ＬＴＥでは、Ｗの値として６，１５，２５，５０，７５および１００の６通りが検討されている。図２３、図２４および図２５は、これら全てのＷの値とＭ＝１，２，３，４との組み合わせそれぞれについて、Ｇを対応付けた場合の例を示している。
【００９４】
図２３は、式（２）の上限値に基づいて設定可能な最大の自然数（０を含まず）をＧの値とした場合の例であり、図１１の例に対応する。図２４は、さらに閾値ＴＨを２５としてＧの上限をかけたものであり、図１５の例に対応するものである。図２５は、Ｇの値を２のべき乗に制限したものであり、図１６に対応するものである。
【００９５】
また、図１４を用いて説明したように、式（２）で示される上限値よりもいくらか小さい値にＧを設定することも可能であり、この場合にはスケジューリングの自由度が高まるという効果が得られる。
【００９６】
（システム帯域幅の範囲毎にＧを設定する方法（最小値を基準））  
図２６、図２７および図２８を用いて、ＷとＭに対してＧを対応付ける別の例について説明する。図２３、図２４および図２５の例では、Ｗの値が６種類定義された場合のＧの対応付けを示していた。このように多くのＷが設定されている場合、ＷおよびＭからＧを対応付けるテーブルのサイズが大きくなってしまう。テーブルのサイズを小さくするためには、Ｗの値そのものを使う代わりに、Ｗの範囲を使うことが効果的である。
【００９７】
図２６、図２７および図２８では、Ｗの範囲をＷ＝１６〜１０，Ｗ＝１１〜２６，Ｗ＝２７〜６４およびＷ＝６５〜１００の４つに分けることにより、テーブルのサイズを小さくしている。このようにＷを範囲として示した場合には、例えばその範囲の中の最小値をＷの代表値として式（２）に代入し、Ｇの上限を求めてもよい。例えば、図２６でＷが６〜１０の範囲をもつときには、Ｗ＝６を代表値として式（２）に基づいてＧの上限を求めればよい。このようにすれば、範囲の中のいずれの値をＷがとった場合においても、当該割り当て方法で割り当てできる数が制限されてしまう状態を回避することができる。
【００９８】
より具体的には、図２６はＷの範囲の最小値を用いて式（２）に基づいて設定可能な最大の自然数（０を含まず）をＧの値とした場合の例であり、図１１の例に対応する。図２７は、さらに閾値ＴＨを２５として上限をかけたものであり、図１５の例に対応する。図２８は、Ｇの値を２のべき乗に制限したものであり、図１６に対応する。
【００９９】
また、このようにＷを範囲として示した場合においても、図１４を用いて説明したように式（２）で示される上限値よりもいくらか小さい値にＧを設定することも可能であり、この場合にはスケジューリングの自由度が高まるという効果が得られる。
【０１００】
（システム帯域幅の範囲毎にＧを設定する方法（（範囲内の典型値を基準））  
図２９、図３０および図３１を用いて、ＷとＭに対してＧを対応付ける別の例について説明する。図２６、図２７および図２８の例では、ＷとＭに対してＧを対応付ける場合にＷの範囲を用いることで、テーブルサイズを小さくしていた。また、Ｗの範囲の最小値を用いて式（２）に基づきＧの上限を設定していた。
【０１０１】
ただし、前述の通り３ＧＰＰ−ＬＴＥにおいては、主要に用いられるＷの値は６，１５，２５，５０，７５および１００の６通りである。従って、仮にＷとしてこれら６つの値以外が用いられないとするならば、必ずしも範囲の最小値を用いる必要はなく、範囲に含まれる値のうち、主要に用いられる値の最小値を用いればよい。
【０１０２】
例えば、Ｗの範囲１１〜２６の間には、主要に用いられるＷの値は１５と２５がある。そこで、この範囲の典型値を１５とし、この典型値を用いて式（２）に基づいて上限を設定すればよい。このようにすれば、主要に用いられるＷの値のみが実際に使われるという場合に、当該割り当て方法で割り当てできる数が制限されてしまう状態を回避することができる。
【０１０３】
より具体的には、図２９はＷの範囲の典型値を用いて式（２）に基づいて設定可能な最大の自然数（０を含まず）をＧの値とした場合の例であり、図１１の例に対応する。図３０は、さらに閾値ＴＨを２５として上限をかけたものであり、図１５の例に対応する。図３１は、Ｇの値を２のべき乗に制限したものであり、図１６の例に対応する。
【０１０４】
また、このように典型値を用いた場合においても、図１４を用いて説明したように、式（２）で示される上限値よりもいくらか小さい値にＧを設定することも可能であり、この場合にはスケジューリングの自由度が高まるという効果が得られる。
【０１０５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０６】
【図１】第１の実施形態に係る無線送信装置を示す図
【図２】第１の実施形態に係る無線受信装置を示す図
【図３】送信信号に対するリソースブロックの割り当ての例を示す図
【図４】送信信号に対するリソースブロックの割り当ての例を示す図
【図５】送信信号に対するリソースブロックの割り当ての例を示す図
【図６】送信信号に対するリソースブロックの割り当ての例を示す図
【図７】送信信号に対するリソースブロックの割り当ての例を示す図
【図８】送信信号に対するリソースブロックの割り当ての例を示す図
【図９】リソースブロックの割り当ての例を示す図
【図１０】リソースブロックの割り当ての例を示す図
【図１１】ＷおよびＭからＧを設定するためのテーブルの例を示す図
【図１２】送信信号に対するリソースブロックの割り当ての例を示す図
【図１３】送信信号に対するリソースブロックの割り当ての例を示す図
【図１４】ＷおよびＭからＧを設定するためのテーブルの例を示す図
【図１５】ＷおよびＭからＧを設定するためのテーブルの例を示す図
【図１６】ＷおよびＭからＧを設定するためのテーブルの例を示す図
【図１７】第２の実施形態に係る無線送信機を示すブロック図
【図１８】第２の実施形態に係る無線受信機を示すブロック図
【図１９】送信信号に対する時間軸も含めたリソースブロックの割り当ての例を示す図
【図２０】送信信号に対する時間軸も含めたリソースブロックの割り当ての例を示す図
【図２１】送信信号に対する時間軸も含めたリソースブロックの割り当ての例を示す図
【図２２】制御信号の割り当て例を示す図
【図２３】ＷおよびＭからＧを設定するためのテーブルの例を示す図
【図２４】ＷおよびＭからＧを設定するためのテーブルの例を示す図
【図２５】ＷおよびＭからＧを設定するためのテーブルの例を示す図
【図２６】ＷおよびＭからＧを設定するためのテーブルの例を示す図
【図２７】ＷおよびＭからＧを設定するためのテーブルの例を示す図
【図２８】ＷおよびＭからＧを設定するためのテーブルの例を示す図
【図２９】ＷおよびＭからＧを設定するためのテーブルの例を示す図
【図３０】ＷおよびＭからＧを設定するためのテーブルの例を示す図
【図３１】ＷおよびＭからＧを設定するためのテーブルの例を示す図
【符号の説明】
【０１０７】
１１・・・送信信号生成部
１２・・・システム帯域幅設定部
１３・・・最大通信帯域幅割合設定部
１４・・・距離設定部
１５・・・割り当て制御部
１６・・・制御信号生成部
１７・・・信号割り当て部
１８・・・ＲＦ送信部
１９・・・送信アンテナ
２１・・・受信アンテナ
２２・・・ＲＦ受信部
２３・・・信号選択部
２４・・・距離設定部
２５・・・受信信号復調部
２６・・・システム帯域幅情報取得部
２７・・・最大通信帯域幅割合情報取得部
２８・・・制御信号復調部
１０１〜１０７，２０１〜２０３，３０１〜３０２，４０１，５０１〜５１２，６０１〜６０６，７０１〜７０４，８０１〜８０３・・・リソースブロック対
１０００・・・制御信号
１１０１〜１１０４，１３０１〜１３０４，１３０７・・・リソースブロック
１２０１〜１２０２，１３０５〜１３０６・・・リソースブロック対
【図１】
2009147750.tif 000003
【図２】
2009147750.tif 000004
【図３】
2009147750.tif 000005
【図４】
2009147750.tif 000006
【図５】
2009147750.tif 000007
【図６】
2009147750.tif 000008
【図７】
2009147750.tif 000009
【図８】
2009147750.tif 000010
【図９】
2009147750.tif 000011
【図１０】
2009147750.tif 000012
【図１１】
2009147750.tif 000013
【図１２】
2009147750.tif 000014
【図１３】
2009147750.tif 000015
【図１４】
2009147750.tif 000016
【図１５】
2009147750.tif 000017
【図１６】
2009147750.tif 000018
【図１７】
2009147750.tif 000019
【図１８】
2009147750.tif 000020
【図１９】
2009147750.tif 000021
【図２０】
2009147750.tif 000022
【図２１】
2009147750.tif 000023
【図２２】
2009147750.tif 000024
【図２３】
2009147750.tif 000025
【図２４】
2009147750.tif 000026
【図２５】
2009147750.tif 000027
【図２６】
2009147750.tif 000028
【図２７】
2009147750.tif 000029
【図２８】
2009147750.tif 000030
【図２９】
2009147750.tif 000031
【図３０】
2009147750.tif 000032
【図３１】
2009147750.tif 000033